(57)【要約】【課題】別部材である寸法調整部材を内部に配する必要がなく、内部寸法と略同一寸法のパックにも、宙吊り状態で収納するパックにも使用することができ、低コストで、かつパック配置作業も容易なパック収納箱を提供する。【解決手段】本考案のパック収納箱１は、底壁２と、側壁３とを有し、側壁３には、内側に向かって延出すると共に、端部４ａが係止され、上面にてパックのフランジを載置するためのフランジ載置片４が連設され、フランジ載置片４は、端部４ａの係止が解除されると、側壁３または底壁２側に押し込み可能で、内部寸法と略同一のパックを収納可能に構成されているため、別部材である寸法調整部材を内部に配することなく、フランジ載置片４の端部４ａの係止を解除して側壁３または底壁２側に押し込めば、内部寸法と略同一寸法のパックを収納でき、他方、フランジ載置片４の端部４ａを係止させれば、宙吊り状態で収納するパックも使用できる。【選択図】図１
0003118858.tif 000002
【実用新案登録請求の範囲】
【請求項１】
底壁と、該底壁の周囲に連設された側壁とを有し、該側壁には、内側に向かって延出すると共に、端部が係止され、上面にてパックのフランジを載置するためのフランジ載置片が連設され、該フランジ載置片は、前記端部の係止が解除されると、前記側壁または底壁側に押し込み可能で、内部寸法と略同一のパックを収納可能に構成されていることを特徴とするパック収納箱。
【請求項２】
前記フランジ載置片の前記端部は、前記側壁と底壁の境界付近に係止されるものである請求項１に記載のパック収納箱。
【請求項３】
前記フランジ載置片の前記端部は、差込穴に挿入されて係止されるものである請求項１または２に記載のパック収納箱。
【請求項４】
前記差込穴は、前記側壁と底壁の境界付近に形成されている請求項３に記載のパック収納箱。
【請求項５】
前記フランジ載置片は、前記端部が係止された状態で、パックのフランジを載置するための平面部と、該平面部の端辺部にて折曲されて形成された立面部とを有している請求項１ないし４のいずれかに記載のパック収納箱。
【請求項６】
前記フランジ載置片の平面部が内側に向かって延出する長さは、前記平面部の基端辺から前記底壁に達する高さと略同一に形成されている請求項５に記載のパック収納箱。
【請求項７】
前記フランジ載置片は、前記端部が係止された状態で、縦断面が、前記側壁と前記平面部との交叉角を略直角とする略直角三角形を構成するように形成されている請求項５または６のいずれかに記載のパック収納箱。
【請求項８】
前記フランジ載置片の一端側には、パックの寸法に対応した切り込みにより形成されたパック側方押えが設けられている請求項１ないし７に記載のパック収納箱。
【考案の詳細な説明】
【技術分野】
【０００１】
本考案は、例えば、苺、無花果、葡萄などを載置したパックを運搬する際に使用して好適なパック収納箱に関する。
【背景技術】
【０００２】
従来より、苺、無花果、葡萄などを載置したパックを内部に複数配して、運搬または店頭にて展示するためのパック収納箱が多用されている。
ところで、このパック収納箱内に配するパックには、寸法や種類が異なるものが存在し、従来のパック収納箱では、基本的に一種類のパックに対応したものを製作し使用していた。また、寸法が異なるパックを収納するために、パック収納箱内に、別部材による寸法調整部材を組み立て、それを配して使用していた。
【０００３】
具体的には、例えば、図９中左側には、苺の形状に対応した凹部５１を有しパック収納箱４０の内部寸法と略同一のパック５０が収納されており、右側には、寸法調整部材６０にフランジ７１を載置し、パック収納箱４０の内部寸法より小さいパック７０が宙吊り状態で配されている。すなわち、このパック収納箱４０は、高さと幅を備えた枠状の寸法調整部材６０を用いることにより、二種類のパックが収納可能となっている。
【０００４】
しかし、別部材である寸法調整部材を用いて複数種のパックを収納可能とすることは、コスト高になると共に、パックの収納作業の際に寸法調整部材６０を組み立てて配する作業が必要となり煩雑であった。
【考案の開示】
【考案が解決しようとする課題】
【０００５】
そこで、本考案の課題は、別部材である寸法調整部材を内部に配する必要がなく、内部寸法と略同一寸法のパックにも、宙吊り状態で収納するパックにも使用することができ、低コストで、かつパック収納作業も容易なパック収納箱を提供することにある。
【課題を解決するための手段】
【０００６】
上記課題を解決するものは、底壁と、該底壁の周囲に連設された側壁とを有し、該側壁には、内側に向かって延出すると共に、端部が係止され、上面にてパックのフランジを載置するためのフランジ載置片が連設され、該フランジ載置片は、前記端部の係止が解除されると、前記側壁または底壁側に押し込み可能で、内部寸法と略同一のパックを収納可能に構成されていることを特徴とするパック収納箱である。
【０００７】
前記フランジ載置片の前記端部は、前記側壁と底壁の境界付近に係止されるものであることが好ましい。前記フランジ載置片の前記端部は、差込穴に挿入されて係止されるものであることが好ましい。前記差込穴は、前記側壁と底壁の境界付近に形成されていることが好ましい。前記フランジ載置片は、前記端部が係止された状態で、パックのフランジを載置するための平面部と、該平面部の端辺部にて折曲されて形成された立面部とを有していることが好ましい。前記フランジ載置片の平面部が内側に向かって延出する長さは、前記平面部の基端辺から前記底壁に達する高さと略同一に形成されていることが好ましい。前記フランジ載置片は、前記端部が係止された状態で、縦断面が、前記側壁と前記平面部との交叉角を略直角とする略直角三角形を構成するように形成されていることが好ましい。前記フランジ載置片の一端側には、パックの寸法に対応した切り込みにより形成されたパック側方押えが設けられていることが好ましい。
【考案の効果】
【０００８】
請求項１に記載の考案によれば、別部材である寸法調整部材を内部に配する必要がなく、内部寸法と略同一寸法のパックにも、宙吊り状態で収納するパックにも使用することができ、低コストで、かつパック配置作業も容易なパック収納箱となる。
請求項２に記載の考案によれば、内側に延出したフランジ載置片の端部が、側壁側へ戻る形で係止されるため、運搬中に係止が外れることをより抑止できる。
請求項３に記載の考案によれば、フランジ載置片の端部は、差込穴に挿入されて係止されることで、係止状態がより安定したものとなる。
請求項４に記載の考案によれば、請求項２および請求項３の構成を併せ持つものであり、係止状態がより安定したものとなる。
請求項５に記載の考案によれば、前記フランジ載置片は、端部が係止された状態で、パックのフランジを載置する部位が平面部となることで、載置状態がより安定したものとなる。
請求項６に記載の考案によれば、端部の係止が解除されフランジ載置片を押し込んだ状態で、平面部を側壁に面当接させることができるため、フランジ載置片が、内側に向かって次第にづれてパックの配置を阻害することなく、より安定した状態でパック収納箱の内部寸法と略同一寸法のパックを配置できる。
請求項７に記載の考案によれば、平面部を確実に構成できると共に、フランジ載置片の端部が、側壁側へ戻る形で係止されるため、運搬中に係止が外れることをより抑止できる。
請求項８に記載の考案によれば、パック収納箱の内部寸法より小さい宙吊りタイプのパックを安定した状態で配置できる。
【考案を実施するための最良の形態】
【０００９】
この実施例のパック収納箱１は、底壁２と、底壁２の周囲に連設された側壁３とを有し、側壁３には、内側に向かって延出すると共に、端部４ａが係止され、上面にてパックのフランジを載置するためのフランジ載置片４が連設され、フランジ載置片４は、端部４ａの係止が解除されると、側壁３または底壁２側に押し込み可能で、内部寸法と略同一のパックを収納可能に構成されているため、別部材である寸法調整部材を内部に配することなく、フランジ載置片４の端部４ａの係止を解除して側壁３または底壁２側に押し込めば、内部寸法と略同一寸法のパックを収納でき、他方、フランジ載置片４の端部４ａを係止させれば、宙吊り状態で収納するパックも使用することができる。以下、各構成について順次詳述する。
【実施例１】
【００１０】
図１は本考案のパック収納箱の一実施例における組立状態を示す平面図であり、図２は図１のＡ−Ａ線断面図であり、図３は図１に示したパック収納箱における他の組立状態を示す平面図であり、図４は図３のＢ−Ｂ線断面図であり、図５は図１に示したパック収納箱の展開平面図であり、図６は図１の底面図であり、図７または図８は図１に示したパック収納箱の作用および使用状態を説明するための斜視図である。
【００１１】
底壁２は、パック収納箱１の底部を構成する部位であり、２つのパックを収納できるよう、図１に示すように、底壁２ａ，２ｂとからなっている。
【００１２】
側壁３は、底壁２の周囲に連設された部位であり、底壁に対して垂直方向に延在するように設けられ長辺側である側壁３ａ，３ｂと、側壁３ａ，３ｂの中間部においてそれらと平行に設けられた中間仕切り３ｃと、短辺側であって側壁３ａ，３ｂ，中間仕切り３ｃの端辺部より直交する方向に延在するよう設けられた側壁３ｄ，３ｅ，３ｆ，３ｇとから構成されている。
【００１３】
フランジ載置片４は、宙吊り状態で収納することが必要なパックの周囲に設けられたフランジを載置するための部位であり、図１に示すように、側壁３ｄ，３ｅ，３ｆ，３ｇにそれぞれ設けられている。
【００１４】
このフランジ載置片４は、側壁３ｄ，３ｅ，３ｆ，３ｇにそれぞれ連設されており、内側に向かって延出すると共に、端部４ａが係止され、上面にてパックのフランジを載置可能となって宙吊り状態で収納されるパックを配置可能とし、他方、端部４ａの係止が解除されると、側壁３ｄ，３ｅ，３ｆ，３ｇまたは底壁２ａ，２ｂ側に押し込み、或いは押し当て可能で、内部寸法と略同一のパックを収納可能とするように作用する。
【００１５】
すなわち、本考案のパック収納箱は、このようなフランジ載置片を有しているため、別部材である寸法調整部材を内部に配することなく、内部寸法より小さく、かつ宙吊り状態で収納するパックも、内部寸法と略同一寸法のパックも収納できる。
【００１６】
具体的には、このフランジ載置片４は、図１または図２に示すように、端部４ａが係止された状態で、パックのフランジを載置するための平面部（側壁３ｄ，３ｅ，３ｆ，３ｇを中間部付近の基端辺４ｅで内側に向かって折り曲げて形成され、底壁２と平行に延在する面）４ｂと、平面部４ｂの下方において、平面部４ｂの端辺部（先端辺）４ｄに設けられた切り込み線に沿って側壁３ｄ，３ｅ，３ｆ，３ｇ側に向かって斜め下方向に戻るように折曲されて形成された立面部４ｃとを有している。このように、本考案のパック収納箱１は、パックのフランジを載置する部位が平面部にて形成されているため、安定してパックを保持できる。
【００１７】
また、フランジ載置片４の平面部４ｂが内側に向かって延出する長さは、平面部４ｂの基端辺４ｅから底壁２ａ，２ｂに達する高さと略同一に形成されている。これにより、端部４ａの係止が解除された状態では、図４に示すように、平面部４ｂを側壁３ｄ，３ｅ，３ｆ，３ｇに沿って隣接させることができ、フランジ載置片が、内側に向かって次第にづれてパックの配置を阻害することなく、より安定した状態でパック収納箱の内部寸法と略同一寸法のパックを収納できる。
【００１８】
さらに、フランジ載置片４は、図２に示すように、端部４ａが係止された状態の縦断面が、側壁３ｄ，３ｅ，３ｆ，３ｇと平面部４ｂとの交叉角を略直角とする略直角三角形を構成するように形成されている。これにより、底壁と平行に延在する平面部を確実に構成できると共に、フランジ載置片４の端部４ａが、側壁３ｄ，３ｅ，３ｆ，３ｇ側へ戻る形で係止されるため、運搬中に係止が外れることをより抑止できる。より具体的には、フランジ載置片４の端部４ａは、図２に示すように、側壁３ｄ，３ｅ，３ｆ，３ｇと底壁２ａ，２ｂとの境界付近に係止されている。
【００１９】
また、フランジ載置片４の端部４ａは、図２または図６に示すように、側壁３ｄ，３ｅ，３ｆ，３ｇと底壁２ａ，２ｂの境界付近に形成された差込穴５に挿入されて係止されており、この差込穴５に挿入されて係止されることで、係止状態がより安定したものとなっている。
【００２０】
さらに、フランジ載置片４の一端側には、図１または図２に示すように、パックの寸法に対応した切り込みにより形成されたパック側方押え６が設けられている。そして、このパック側方押え６の部分は側壁側に折り込まないように、内側に向かって延出したままの状態とし、かつ、斜め下方向に延在するよう若干折り曲げることで、図７に示すように、パック収納箱１の内部寸法より小さく、かつ宙吊りタイプのパック７０を側方より押えるように作用させることができ、パックの水平方向への移動を抑止できる。
【００２１】
このように、本考案のパック収納箱１において、パック収納箱１の内部寸法より小さい宙吊りタイプのパック７０を収納する場合は、図７に示すように、フランジ載置片４にて平面部４ａを構成し、その上面にパック７０のフランジ７０ａを載置させると共に、パック側方押え６にてパック７０を側方より押えた状態で収納することができる。なお、図７では、左側の内部にのみパック７０が配されているが、このパック収納箱１はパックを２個収納可能であるため右側の内部にも同様にパック７０を配して使用する。
【００２２】
他方、本考案のパック収納箱１において、パック収納箱１の内部寸法と略同一のパック５０を収納する場合は、図８に示すように、フランジ載置片４の端部４ａの係止を解除し（端部４ａを差込穴５より抜外して）、平面部４ａを側壁３ｄ，３ｅ，３ｆ，３ｇ側へ押し込んで面当接させ、立面部４ｂおよびパック側方押え６を底壁２ａ，２ｂ側に押し当てて面当接させた状態とした上で、パック５０を収納する。なお、図８では、左側の内部にのみパック５０が配されているが、このパック収納箱１はパックを２個収納可能であるため右側の内部にも同様にパック５０を配して使用する。
【００２３】
つぎに、本考案のパック収納箱１の組立方法について説明する。
本考案のパック収納箱１は、図５に示すように、フランジ載置片４を含め、一枚の段ボールにて形成されている。
【００２４】
このパック収納箱１を組み立てるには、まず、中間仕切り３ｃを構成する仕切壁７を山折りすると共に、仕切壁７の両端に設けられた延出片８ａ，８ｂ，８ｃ，８ｄを起立させるように内側へ向かって折曲させる。
【００２５】
つぎに、側壁３ｄ，３ｅ，３ｆ，３ｇを構成する短辺側側壁片９ａを底壁２ａ，２ｂとの境界で起立させるように内側へ向かって折曲した後、短辺側上端面部１０を構成し、さらに、短辺側側壁片９ｂを内側に折り込んで差込部１１を係止穴１２に挿入し（図６参照）、側壁３ｄ，３ｅ，３ｆ，３ｇをそれぞれ構成する。この時、仕切壁７の両端に設けられた延出片８ａ，８ｂ，８ｃ，８ｄを短辺側側壁片９ａと短辺側側壁片９ｂ間に配して３重構造の側壁３ｄ，３ｅ，３ｆ，３ｇをそれぞれ構成する。
【００２６】
さらに、側壁３ａ，３ｂを構成する長辺側側壁片１３ａを底壁２ａ，２ｂとの境界で起立させるように内側へ向かって折曲した後、長辺側上端面部１４を構成し、さらに、長辺側壁片１３ｂを内側に折り込んで差込部１５を係止穴１６に挿入し（図６参照）、側壁３ａ，３ｂをそれぞれ構成する。この時、短辺側側壁片９ａ，９ｂの一端側にそれぞれ設けられた延出片１７ａ，１７ｂを長辺側側壁片１３ａと長辺側側壁片１３ｂ間に配して４重構造の側壁３ａ，３ｂをそれぞれ構成する。そして、最後に、長辺側側壁片１３ｂの両側にそれぞれ設けられた角部係合片１８の突出片１９を係止穴２０にそれぞれ挿入して（図１または図５参照）、パック収納箱１の組み立てが完了する。
【００２７】
なお、この状態で、側壁３ｄ，３ｅ，３ｆ，３ｇにそれぞれ連設されたフランジ載置片４は、全体が内側に向かって延出した状態にあるため、宙吊り状態で収納するパック７０を収納する場合は、フランジ載置部４を図１および図２に示す状態とし、図７に示すようにパック７０を収納する。他方、内部寸法と略同一寸法のパック５０を収納する場合は、フランジ載置部４を図３および図４に示す状態として、図８に示すようにパック５０を収納する。
【図面の簡単な説明】
【００２８】
【図１】本考案のパック収納箱の一実施例における組立状態を示す平面図である。
【図２】図１のＡ−Ａ線断面図である。
【図３】図１に示したパック収納箱における他の組立状態を示す平面図である。
【図４】図３のＢ−Ｂ線断面図である。
【図５】図１に示したパック収納箱の展開平面図である。
【図６】図１の底面図である。
【図７】図１に示したパック収納箱の作用および使用状態を説明するための斜視図である。
【図８】図１に示したパック収納箱の作用および使用状態を説明するための斜視図である。
【図９】従来のパック収納箱の斜視図である。
【符号の説明】
【００２９】
１    パック収納箱
２    底壁
３    側壁
４    フランジ載置片
４ａ  端部
４ｂ  平面部
４ｃ  立面部
４ｄ  端辺部（先端辺）
４ｅ  基端辺
５  差込穴
６  パック側方押え
７  仕切壁
８  延出片
９  短辺側側壁片
１０  短辺側上端面部
１１  差込部
１２  係止穴
１３  長辺側側壁片
１４  長辺側上端面部
１５  差込部
１６  係止穴
１７  延出片
１８  角部係止片
１９  突出部
２０  係止穴
【図１】
0003118858.tif 000003
【図２】
0003118858.tif 000004
【図３】
0003118858.tif 000005
【図４】
0003118858.tif 000006
【図５】
0003118858.tif 000007
【図６】
0003118858.tif 000008
【図７】
0003118858.tif 000009
【図８】
0003118858.tif 000010
【図９】
0003118858.tif 000011